(57)【特許請求の範囲】
【請求項１】
記録媒体に格納された圧縮データを読み出す読み出し制御部と、
読み出し制御部で読み出された圧縮データを所定の不可逆圧縮方式でデータ伸長する第１データ伸長部と、
前記記録媒体に格納された前記圧縮データの元データと前記圧縮データが前記第１データ伸長部でデータ伸長されて得た伸長データとの差分を表す差分データが外部より入力され、該差分データと前記伸長データとを合成して前記元データを再生する合成部と、
前記第１データ伸長部でデータ伸長されたデータと前記合成部で合成されて得られた前記元データとを選択して出力する第１選択部と、
を有し、
直列にｎ段（ｎは２以上の整数）接続することが可能であり、
前記差分データの入力がないとき、前記第１選択部において前記第１データ伸長部でデータ伸長されたデータが選択され、
前記差分データの入力があるとき、前記第１選択部において前記合成部からの前記元データが選択されることを特徴とするデータ再生装置。
【請求項２】
直列にｎ段接続された前記データ再生装置の内の２段目〜ｎ段目のデータ再生装置であるとともに、
前段のデータ再生装置の前記合成部で再生された前記元データが前記差分データとして入力され、前記合成部で再生された前記元データが前記第１選択部で選択されて出力されることを特徴とする請求項１に記載のデータ再生装置。
【請求項３】
直列にｍ段（ｍは１以上の整数）接続された前記データ再生装置の内の１段目のデータ再生装置であるとともに、
前記第１データ伸長部でデータ伸長されたデータが前記第１選択部で選択されて出力されることを特徴とする請求項１又は請求項２に記載のデータ再生装置。
【請求項４】
直列にｍ段（ｍは１以上の整数）接続された前記データ再生装置の内の１段目のデータ再生装置であるとともに、
前記差分データがデータ圧縮された圧縮データをデータ伸長する第２データ伸長部と、
前記第２データ伸長部で得られた前記差分データと、前段のデータ再生装置から入力された前記差分データと、を選択して前記合成部に与える第２選択部と、
を有し、
前記差分データがデータ圧縮された圧縮データが入力されるとき、前記第２選択部において前記第２データ伸長部からの前記差分データが選択されて前記合成部に与えられ、
前記前段のデータ再生装置から前記差分データが入力されるとき、前記第２選択部において前記前段のデータ再生装置からの前記差分データが選択されて前記合成部に与えられることを特徴とする請求項１又は請求項２に記載のデータ再生装置。
【請求項５】
前記第２データ伸長部で使用される圧縮方式を前記第１データ伸長部で使用する圧縮方式と同じ不可逆圧縮方式とすることを特徴とする請求項４に記載のデータ再生装置。
【請求項６】
前記第２データ伸長部で使用される圧縮方式を可逆圧縮方式とすることを特徴とする請求項４に記載のデータ再生装置。
【請求項７】
前記第１選択部から出力するデータをアナログデータに変換するデジタル／アナログ変換部と、
前記第１選択部から出力されるデータを前記デジタル／アナログ変換部に与える第１経路と、前記第１選択部から出力されるデータを外部に出力する第２経路と、を選択する第３選択部と、
を有し、
直列にｍ段（ｍは１以上の整数）接続された前記データ再生装置の内の最終段のデータ再生装置であるとき、前記第３選択部が前記第１経路を選択し、
直列にｍ段接続された前記データ再生装置の内の最終段以外のデータ再生装置であるとき、前記第３選択部が前記第２経路を選択することを特徴とする請求項１〜請求項６のいずれかに記載のデータ再生装置。
【請求項８】
外部より入力されるデータを所定の不可逆圧縮方式でデータ圧縮して圧縮データを生成するデータ圧縮部と、
該データ圧縮部で生成された圧縮データを記録媒体に書き込む書き込み制御部と、
前記データ圧縮部で生成された圧縮データを前記不可逆圧縮方式でデータ伸長して伸長データを生成するデータ伸長部と、
前記外部より入力されるデータと前記伸長データとの差分を表す差分データを生成して外部に出力する差分データ生成部と、
を有し、
直列にｎ段（ｎは２以上の整数）接続することが可能であり、
前記データ記録装置がｎ段で接続されたとき、
ｎ段目の前記データ記録装置とされた場合、前段のデータ記録装置の前記差分データ生成部で生成された差分データが前記データ圧縮部及び前記差分データ生成部に入力されることを特徴とするデータ記録装置。
【請求項９】
前記データ記録装置を１段で構成した場合、外部に出力された前記差分データが前記記録媒体と異なる外部記録装置に記録されることを特徴とする請求項８に記載のデータ記録装置。
【請求項１０】
直列にｍ段（ｍは１以上の整数）接続された前記データ記録装置の内の最終段目のデータ記録装置であるとき、前記差分データ生成部で生成した差分データを更にデータ圧縮して外部に出力することを特徴とする請求項８又は請求項９に記載のデータ記録装置。
【請求項１１】
前記差分データ生成部で生成した差分データを更にデータ圧縮する圧縮方式を、前記データ圧縮部で使用する圧縮方式と同じ不可逆圧縮方式とすることを特徴とする請求項１０に記載のデータ記録装置。
【請求項１２】
前記差分データ生成部で生成した差分データを更にデータ圧縮する圧縮方式を可逆圧縮方式とすることを特徴とする請求項１０に記載のデータ記録装置。
【請求項１３】
直列にｍ段（ｍは１以上の整数）接続された前記データ記録装置の内の最終段目のデータ記録装置より外部に出力された前記差分データが前記記録媒体と異なる外部記録装置に記録されることを特徴とする請求項８〜請求項１２のいずれかに記載のデータ記録装置。
【請求項１４】
外部から入力されるデータをデジタルデータに変換するアナログ／デジタル変換部と、
外部から入力されるデータと、前記アナログ／デジタル変換部で変換されたデジタルデータと、を選択する選択部と、
を有し、
直列にｎ段接続された前記データ記録装置の内の第１段のデータ記録装置であるとき、前記選択部が前記アナログ／デジタル変換部から出力されるデジタルデータを選択し、
直列にｎ段接続された前記データ記録装置の内の第２段〜第ｎ段のいずれかのデータ記録装置であるとき、前記選択部が外部から入力されるデータを選択することを特徴とする請求項８〜請求項１３のいずれかに記載のデータ記録装置。
【請求項１５】
前記データ記録装置を１段で構成した場合、前記選択部が前記アナログ／デジタル変換部から出力されるデジタルデータを選択することを特徴とする請求項１４に記載のデータ記録装置。
【請求項１６】
外部より入力されるデータを所定の不可逆圧縮方式でデータ圧縮して圧縮データを生成するデータ圧縮部と、
該データ圧縮部で生成された圧縮データを記録媒体に書き込む書き込み制御部と、
前記記録媒体に格納された圧縮データを読み出す読み出し制御部と、
前記データ圧縮部からの前記圧縮データと、前記読み出し制御部から読み出された前記圧縮データと、を選択する第１選択部と、
該第１選択部で選択された圧縮データを前記不可逆圧縮方式でデータ伸長して伸長データを生成する第１データ伸長部と、
前記外部より入力されるデータと前記第１データ伸長部からの前記伸長データとの差分を表す差分データを生成して外部に出力する差分データ生成部と、
前記第１データ伸長部からの前記伸長データに外部から入力される前記差分データを合成する合成部と、
前記第１データ伸長部からの前記伸長データを前記差分データ生成部及び前記合成部のいずれに与えるかを選択する第２選択部と、
を備え、
前記記録媒体への前記圧縮データの記録を行うとき、前記第１選択部が前記データ圧縮部からの前記圧縮データを選択し、前記第２選択部が前記伸長データを前記差分データ生成部に与え、
前記記録媒体からの前記圧縮データの再生を行うとき、前記第１選択部が前記読み出し制御部から読み出された前記圧縮データを選択し、前記第２選択部が前記伸長データを前記合成部に与えることを特徴とするデータ記録再生装置。
【請求項１７】
前記第１データ伸長部でデータ伸長されたデータと前記合成部で合成されて得られたデータとを選択して出力する第３選択部を備え、
前記記録媒体からの前記圧縮データの再生を行う場合において、
外部から前記差分データの入力がないとき、前記第３選択部において前記第１データ伸長部でデータ伸長されたデータを選択して出力し、
外部から前記差分データの入力があるとき、前記第３選択部において前記合成部からの前記データを選択して出力することを特徴とする請求項１６に記載のデータ記録再生装置。
【請求項１８】
直列にｎ段（ｎは２以上の整数）接続された前記データ記録再生装置の内の２段目〜ｎ段目のデータ記録再生装置であるとともに、
前記記録媒体からの前記圧縮データの再生を行う場合において、前段のデータ記録再生装置の前記合成部で再生されたデータが前記差分データとして入力され、前記合成部で再生されたデータが前記第３選択部で選択されて出力されることを特徴とする請求項１７に記載のデータ記録再生装置。
【請求項１９】
直列にｍ段（ｍは１以上の整数）接続された前記データ記録再生装置の内の１段目のデータ記録再生装置であるとともに、
前記記録媒体からの前記圧縮データの再生を行う場合において、前記第１データ伸長部でデータ伸長されたデータが前記第３選択部で選択されて出力されることを特徴とする請求項１７又は請求項１８に記載のデータ記録再生装置。
【請求項２０】
直列にｍ段（ｍは１以上の整数）接続された前記データ記録再生装置の内の１段目のデータ記録再生装置であるとともに、
前記差分データがデータ圧縮された圧縮データをデータ伸長する第２データ伸長部と、
前記第２データ伸長部で得られた前記差分データと、前段のデータ記録再生装置から入力された前記差分データと、を選択して前記合成部に与える第４選択部と、
を有し、
前記記録媒体からの前記圧縮データの再生を行う場合において、
前記差分データがデータ圧縮された圧縮データが入力されるとき、前記第４選択部において前記第２データ伸長部からの前記差分データが選択されて前記合成部に与えられ、
前記前段のデータ記録再生装置から前記差分データが入力されるとき、前記第４選択部において前記前段のデータ記録再生装置からの前記差分データが選択されて前記合成部に与えられることを特徴とする請求項１７又は請求項１８に記載のデータ記録再生装置。
【請求項２１】
直列にｎ段（ｎは２以上の整数）接続された前記データ記録再生装置の内の１つであるとともに、
前記記録媒体へ前記圧縮データの記録を行う場合において、
ｎ段目の前記データ記録再生装置とされた場合、前段のデータ記録再生装置の前記差分データ生成部で生成された差分データが前記データ圧縮部及び前記差分データ生成部に入力されることを特徴とする請求項１６〜請求項２０のいずれかに記載のデータ記録再生装置。
【請求項２２】
前記記録媒体からの前記圧縮データの記録を行う場合において、前記データ記録再生装置を１段で構成したとき、外部に出力された前記差分データが前記記録媒体と異なる外部記録装置に記録されることを特徴とする請求項２１に記載のデータ記録再生装置。
【請求項２３】
直列にｍ段（ｍは１以上の整数）接続された前記データ記録再生装置の内の最終段目のデータ記録再生装置であるとき、
前記記録媒体からの前記圧縮データの記録を行う場合において、前記差分データ生成部で生成した差分データを更にデータ圧縮して外部に出力することを特徴とする請求項２１又は請求項２２に記載のデータ記録再生装置。
【請求項２４】
直列にｍ段（ｍは１以上の整数）接続された前記データ記録再生装置の内の最終段目のデータ記録再生装置より外部に出力された前記差分データが前記記録媒体と異なる外部記録装置に記録されることを特徴とする請求項２１〜請求項２３のいずれかに記載のデータ記録再生装置。
【発明の詳細な説明】
【０００１】
【発明の属する技術分野】
本発明は、データ圧縮されたデータ信号の記録再生を行うためのデータ生成方法及びデータ記録装置及びデータ再生装置に関するもので、特に、ＡＴＲＡＣ（Adaptive Transform Acoustic Coding）、ＡＴＲＡＣ３（Adaptive Transform Acoustic Coding 3）、ＡＡＣ（Advanced Audio Coding）、ＴｗｉｎＶＱ（Transform-domain Weighted INterleave Vector Quantization）、ＭＰ３（MPEG1 Audio Layer 3）などの不可逆圧縮方式を用いてデータ圧縮されたデータ信号の記録再生を行うためのデータ生成方法及びデータ記録装置及びデータ再生装置に関する。
【０００２】
【従来の技術】
近年、オーディオデータなどにおいて、その記録媒体の小型軽量化やデータ配信の高速化のために、ＡＴＲＡＣ、ＡＴＲＡＣ３、ＡＡＣ、ＴｗｉｎＶＱ、ＭＰ３などの様々なオーディオ高能率符号化方式を用いてデータ圧縮する技術が提供されている。このようなオーディオ高能率符号化方式を用いてデータ圧縮されたオーディオデータを記録媒体に記録再生するデータ記録再生装置の代表として、ＡＴＲＡＣ方式を用いてデータ圧縮されたオーディオデータが記録される光磁気ディスクであるミニディスク（以下、単に「ディスク」と称する。）の記録再生を行うデータ記録再生装置について、以下に説明する。
【０００３】
図１３に、従来のデータ記録再生装置の構成を示す。図１３のデータ記録再生装置は、光ピックアップ１より対物レンズ１ａを介してレーザー光をディスク１３に対して照射することにより、ディスク１３にデータの記録又は再生を行う。対物レンズ１ａは、この光ピックアップ１内のアクチュエータ（不図示）によって、ディスク１３の径方向に移動するように制御される。そして、光ピックアップ１は、送りモータ８によって、ディスク１３の径方向（トラックに対して直交方向）に移動させられる。又、スピンドルモータ９によって、ディスク１３が周方向に回転される。
【０００４】
このようにして、光ピックアップ１、送りモータ８、スピンドルモータ９が動作することで、光ピックアップ１から出射されるレーザー光が目標のトラックに追従される。このとき、光ピックアップ１、送りモータ８、及びスピンドルモータ９の動作は、ドライブ回路１０から電力が供給されることによって制御される。
【０００５】
即ち、ディスク１３から反射されるレーザー光が光ピックアップ１に入射されて、光ピックアップ１からデータ信号やトラッキングエラー信号や同期信号などの各種信号が出力される。そして、光ピックアップ１から出力される信号がＲＦアンプ２で増幅されて、サーボ回路１１に与えられる。サーボ回路１１は、システムコントローラ１２ａの指示に従い、ＲＦアンプ２で増幅された信号に基づいて、ドライブ回路１０における制御量を決定し、制御信号としてドライブ回路１０に与える。
【０００６】
そして、記録動作時は、アナログ信号の音声信号がＡ／Ｄコンバータ７ａによってデジタル信号に変換されると、データ圧縮回路６ｃによって、ＡＴＲＡＣ方式により、データ圧縮され、毎秒０．３Mbitの速度の圧縮データが生成され、メモリコントローラ４に送出される。メモリコントローラ４は、圧縮データをショックプルーフメモリ５に保持させるように、システムコントローラ１２ａの指示に従って、ショックプルーフメモリ５の書き込み及び読み出しを制御することで、データ圧縮回路６ｃからの圧縮データをショックプルーフメモリ５に書き込むとともに、ショックプルーフメモリ５から読み出した圧縮データをエンコーダ／デコーダ／信号処理回路３に送出する。
【０００７】
エンコーダ／デコーダ／信号処理回路３は、システムコントローラ１２ａより与えられる曲番号や経過時間などの各情報よりサブコードを生成する。又、エンコーダ／デコーダ／信号処理回路３はメモリコントローラ４より与えられる圧縮データに誤り検出符号付加などの信号処理を施してエンコードした後、高周波信号に変調して、ＲＦアンプ２に送出する。このＲＦアンプ２で増幅された高周波信号が光ピックアップ１に与えられ、この高周波信号に基づいて、ディスク１３へのデータの記録が行われる。このとき、光ピックアップ１は、記録されるトラック位置に磁気ヘッド（不図示）を当接させるとともに、対物レンズ１ａを介してレーザー光を照射することによって、ディスク１３にデータを記録させる。
【０００８】
又、再生動作時は、対物レンズ１ａを介してディスク１３のトラックに照射したレーザー光がディスク１３のトラックを反射して光ピックアップ１に入光されると、入光されたレーザー光の偏向方向に基づいて高周波信号となるデータが毎秒１．４Mbitの速度で読み出される。読みだされた高周波信号は、ＲＦアンプ２で増幅されてエンコーダ／デコーダ／信号処理回路３で復調された後、デコードされる。このとき、サブコードは、システムコントローラ１２ａに送出されて、サブコードより曲番号や経過時間などの各情報が認識される。
【０００９】
又、もとの圧縮データにデコードするために、エンコーダ／デコーダ／信号処理回路３で、誤り訂正処理などの信号処理が施される。そして、エンコーダ／デコーダ／信号処理回路３でデコードされて得られた圧縮データが、メモリコントローラ４に送出される。メモリコントローラ４は、圧縮データをショックプルーフメモリ５に保持させるように、システムコントローラ１２ａの指示に従って、ショックプルーフメモリ５の書き込み及び読み出しを制御することで、エンコーダ／デコーダ／信号処理回路３からの圧縮データをショックプルーフメモリ５に書き込むとともに、ショックプルーフメモリ５から読み出した圧縮データをデータ伸長回路６ｄに送出する。
【００１０】
このようにメモリコントローラ４が動作することで、エンコーダ／デコーダ／信号処理回路３から送出される圧縮データの転送速度と、データ伸長回路６ｄに送出する圧縮データの転送速度との差を吸収するとともに、振動などの外乱による再生の中断を防止するために音声信号出力を保護することができる。そして、データ伸長回路６ｄにおいて、ＡＴＲＡＣ方式で圧縮された圧縮データを元の大きさのデジタル信号にデータ伸長される。このとき、データ伸長回路６ｄでは、毎秒０．３Mbitの速度でデータ伸長が行われる。データ伸長されて得られたデジタル信号がＤ／Ａコンバータ７ｂでアナログ信号である音声信号に変換され、出力されると、スピーカなどによって音声が再生される。
【００１１】
【発明が解決しようとする課題】
上述の図１３のようなデータ記録再生装置において、データ圧縮回路６ｃは、図２のデータ圧縮回路６１のように構成される。よって、Ａ／Ｄコンバータ７ａより与えられるデジタル信号が、まず、帯域分割フィルタ６−１で、低域（ＤＣ〜５．５kHz）、中域（５．５kHz〜１１kHz）、高域（１１kHz〜２２kHz）の３帯域の信号に分割される。そして、時間／周波数軸変換回路６−２で、ＭＤＣＴ（Modified Discrete Cosine Transform）が施されて、周波数スペクトラムデータに変換される。この周波数スペクトラムデータが、ビット配分／量子化回路６−３で、人間の聴覚心理にあわせたビット長の重み付けが行われ、メモリコントローラ４に送出される。このとき、人間の耳に敏感な周波数に対しては、多くのビット数が割り当てられ、逆に、鈍感な周波数に対しては少ないビット数が割り当てられる。
【００１２】
又、データ伸長回路６ｄは、図３のデータ伸長回路６２のように構成される。よって、メモリコントローラ４より送出される圧縮データは、まず、逆量子化回路６−４によって、圧縮データ内のワードレングス、スケールファクタ、オーディオスペクトラムデータから、周波数スペクトラムデータに変換される。そして、周波数／時間軸変換回路６−５で、ＩＭＤＣＴ（Inverse Modified Discrete Cosine Transform）が施されて、低域、中域、高域の３帯域の時間軸信号が生成される。この３帯域の時間軸信号が、帯域合成フィルタ６−６で合成されることで、デジタル信号が生成されて、Ｄ／Ａコンバータ７ｂに送出される。
【００１３】
このようにミニディスクの記録再生を行うデータ記録再生装置は、ＡＴＲＡＣ方式によって１／５に圧縮されたデータをミニディスクに記録し、再生する際、この圧縮されたデータを伸長して再生するが、この圧縮方式は不可逆圧縮であるために、伸長されたデータが元のデータに戻るわけではない。又、更なる高圧縮化を実現するために、ＡＴＲＡＣ３やＭＰ３などが普及されているが、元の音に比べて音質が劣化してしまう。しかしながら、圧縮率が低いと、ネットワークの伝送レートや再生装置能力や動作状態に不具合が生じてしまうため、ノイズや音切れを起こすことがある。
【００１４】
このような問題を鑑みて、本発明は、データ記録時に、圧縮されたデータとともに、圧縮されたデータ以外のデータを生成するデータ生成方法及びデータ記録装置及びデータ再生装置を提供することを目的とする。
【００１５】
【課題を解決するための手段】
上記目的を達成するために、本発明のデータ再生装置は、記録媒体に格納された圧縮データを読み出す読み出し制御部と、読み出し制御部で読み出された圧縮データを所定の不可逆圧縮方式でデータ伸長する第１データ伸長部と、前記記録媒体に格納された前記圧縮データの元データと前記圧縮データが前記第１データ伸長部でデータ伸長されて得た伸長データとの差分を表す差分データが外部より入力され、該差分データと前記伸長データとを合成して前記元データを再生する合成部と、前記第１データ伸長部でデータ伸長されたデータと前記合成部で合成されて得られた前記元データとを選択して出力する第１選択部と、を有し、前記差分データの入力がないとき、前記第１選択部において前記第１データ伸長部でデータ伸長されたデータが選択され、前記差分データの入力があるとき、前記第１選択部において前記合成部からの前記元データが選択されることを特徴とする。
【００２３】
又、入力される前記第２データより前記差分データと前記第１データより生成された圧縮データとを分離し、前記第１データより生成された圧縮データをデータ伸長した伸長データに、ｎ個の前記差分データより得られる差分を加えることによって、前記第１データを生成して再生することを特徴とする。
【００２４】
このとき、差分データが圧縮データであるとき、データ伸長されることによって得られる差分が、第１データより生成された圧縮データをデータ伸長した伸長データに加えられることにより、第１データが再生される。
【００２６】
このようなデータ再生装置を１台使用したとき、外部記録装置に記録された差分データが合成部に入力されるようにしても構わない。又、このとき、差分データが入力されなくても、第１データによる圧縮データだけでも、従来と同様、再生することができる。
【００２７】
更に、このようなデータ再生装置を直列に複数接続するとき、各データ再生装置で再生される記録媒体からの圧縮データに、前段のデータ再生装置から出力された差分データを加えて、差分データとして、後段に接続されたデータ再生装置に出力する。このようにすることで、最終段のデータ再生装置より、元の第１データに近い値のデータが再生されて出力される。
【００２９】
又、本発明のデータ記録装置は、外部より入力されるデータを所定の不可逆圧縮方式でデータ圧縮して圧縮データを生成するデータ圧縮部と、該データ圧縮部で生成された圧縮データを記録媒体に書き込む書き込み制御部と、前記データ圧縮回路で生成された圧縮データを前記不可逆圧縮方式でデータ伸長して伸長データを生成するデータ伸長部と、前記外部より入力されるデータと前記伸長データとの差分を表す差分データを生成して外部に出力する差分データ生成部と、を有し、直列にｎ段（ｎは２以上の整数）接続することが可能であり、前記データ記録装置がｎ段で接続されたとき、ｎ段目の前記データ記録装置とされた場合、前段のデータ記録装置の前記差分データ生成部で生成された差分データが前記データ圧縮部及び前記差分データ生成部に入力されることを特徴とする。
【００３０】
このようなデータ記録装置を１台使用したとき、外部に出力する差分データを外部記録装置に記録するようにしても構わない。このとき、データ記録装置によって記録媒体に記録される圧縮データは、従来のデータ再生装置によって再生することができる。
【００３１】
更に、このようなデータ再生装置を直列に複数接続するとき、２段目以降の各データ記録装置より出力される差分データがデータ圧縮された圧縮データが記録媒体に記録されるとともに、この圧縮データがデータ伸長された伸長データと元の差分データとの差分を表す差分データが生成されて、後段に接続されたデータ記録装置に出力する。
【００３２】
【発明の実施の形態】
本発明の実施の形態について、以下に説明する。
【００３３】
＜圧縮データの生成方法＞
まず、圧縮データの生成方法について説明する。まず、音声信号が量子化されて得たデジタル信号Ｓ０を、ＡＴＲＡＣ方式などの不可逆圧縮方式でデータ圧縮する。そして、圧縮されて得た圧縮データｃ０を再びデータ伸長する。このとき、圧縮データｃ０は、不可逆圧縮方式で圧縮されているため、伸長されて得たデジタル信号ｓ０は、元のデジタル信号Ｓ０と類似しているが、異なる信号である。そして、このデジタル信号ｓ０と元のデジタル信号Ｓ０との差分（Ｓ０−ｓ０）を演算して、差分信号Ｓ１を生成する。
【００３４】
次に、この差分信号Ｓ１を、デジタル信号Ｓ０と同様に、不可逆圧縮方式でデータ圧縮し、圧縮データｃ１を生成する。そして、この圧縮データｃ１を再びデータ伸長して、差分信号ｓ１を生成し、この差分信号ｓ１と元の差分信号Ｓ１との差分（Ｓ１−ｓ１）を演算して、差分信号Ｓ２を生成する。このような動作をｎ回繰り返し、差分信号Ｓｎが生成されると、この差分信号Ｓｎをデータ圧縮し、圧縮データｃｘを生成する。尚、この差分信号Ｓｎをデータ圧縮する際に用いる圧縮方式は、デジタル信号Ｓ０及び差分信号Ｓ１〜Ｓｎ−１をデータ圧縮する際に用いる圧縮方式と同一の圧縮方式としても構わないし、異なる圧縮方式としても構わない。
【００３５】
そして、圧縮データｃ０〜ｃｎ−１及び圧縮データｃｘが合成された圧縮データ群Ｃが、元の音声信号をデータ圧縮した圧縮データとして表される。即ち、圧縮データ群Ｃをデータ伸長したとき、圧縮データ群Ｃを構成する圧縮データｃ０〜ｃｎ−１及び圧縮データｃｘがそれぞれデータ伸長されて、デジタル信号ｓ０及び差分信号ｓ１〜ｓｎが得られる。よって、デジタル信号ｓ０及び差分信号ｓ１〜ｓｎを加算することによって、元のデジタル信号Ｓ０に近いデジタル信号を得ることができる。
【００３６】
又、差分信号Ｓｎをデータ圧縮する際に用いる圧縮方式を可逆圧縮方式とすることによって、圧縮データｃｘをデータ伸長したとき、差分信号Ｓｎを得ることができる。よって、圧縮データ群Ｃをデータ伸長して得たデジタル信号ｓ０及び差分信号ｓ１〜ｓｎ−１及び差分信号Ｓｎを加算することによって、更に元のデジタル信号Ｓ０に近づけることができるため、音声信号として再生したとき、原音とほぼ同じ音質とすることができる。
【００３７】
本発明における圧縮データの生成方法は、上述の方法を基本とするものであり、以下に説明するデータ記録再生装置では、複数のディスク及び外部記録装置それぞれにデジタル信号及び複数の差分信号の圧縮データを記録するようにし、又、配信される音声信号の再生方法では、上記のデータ圧縮方法で生成された圧縮データがオーディオデータとして通信ネットワークを通じて配信される。
【００３８】
＜記録媒体への記録再生＞
次に、データを記録する記録媒体にミニディスクを用いたデータ記録再生装置を例に挙げて、説明する。図１のデータ記録再生装置は、対物レンズ１ａを介してディスク１３にレーザー光を照射してデータの記録又は再生を行う光ピックアップ１と、高周波信号を増幅するＲＦアンプ２と、圧縮データのエンコード又はデコードを行うエンコーダ／デコーダ／信号処理回路３と、ショックプルーフメモリ５の読み出し及び書き込み制御を行うメモリコントローラ４と、圧縮データが書き込まれるショックプルーフメモリ５と、デジタル信号をデータ圧縮するデータ圧縮回路６ａと、圧縮データをデジタル信号にデータ伸長するデータ伸長回路６ｂと、音声信号をデジタル信号に変換するＡ／Ｄコンバータ７ａと、デジタル信号を音声信号に変換するＤ／Ａコンバータ７ｂと、を有する。
【００３９】
又、従来のデータ記録再生装置と同様、光ピックアップ１をディスク１３の径方向に移動させる送りモータ８と、ディスク１３を回転させるスピンドルモータ９と、送りモータ８及びスピンドルモータ９及び光ピックアップ１内のアクチュエータ（図１）の動作を制御するドライブ回路１０と、ＲＦアンプ２で増幅された信号に基づいてドライブ回路１０での制御量を決定するサーボ回路１１と、エンコーダ／デコーダ／信号処理回路３及びメモリコントローラ４及びサーボ回路１１と信号のやり取りを行うシステムコントローラ１２とを有する。
【００４０】
更に、差分生成回路１５にデジタル信号を遅延させて与えるディレイ回路１４と、データ伸長回路６ｂで伸長されたデジタル信号と元のデジタル信号の差分を表す差分信号を生成する差分生成回路１５と、差分信号のデータ圧縮を行うデータ圧縮回路１６と、データ伸長回路６ｂ及び合成回路１８のそれぞれから与えられるデジタル信号を選択するセレクタ回路１７と、データ伸長回路１５より与えられるデジタル信号と差分信号の加算を行う合成回路１８と、合成回路１８に差分信号を遅延させて与えるディレイ回路１９と、データ伸長して差分信号を生成するデータ伸長回路２０と、データ記録再生装置の動作をユーザーが操作するための入力装置２１と、データ記録再生装置の動作状態や入力装置２１の操作情報を表示する表示装置２２と、スイッチＳＷ１〜ＳＷ６とを有する。
【００４１】
このようなデータ記録再生装置において、光ピックアップ１、ＲＦアンプ２、エンコーダ／デコーダ／信号処理回路３、メモリコントローラ４、ショックプルーフメモリ５、送りモータ８、スピンドルモータ９、ドライブ回路１０、サーボ回路１１は、それぞれ、図１３に示す従来のデータ記録再生装置と同様の動作を行う。よって、その動作の詳細な説明については、省略する。
【００４２】
まず、このような構成のデータ記録再生装置の記録動作について、以下に説明する。図４のように、スイッチＳＷ１，ＳＷ２の接点ａを接続することにより、データ圧縮回路６ａからの圧縮データがデータ伸長回路６ｂに与えられてデータ伸長された後、差分生成回路１５に与えられるようにする。そして、スイッチＳＷ３の接点ａを接続することにより、外部からの音声信号がＡ／Ｄコンバータ７ａに入力されるようにする。又、スイッチＳＷ４の接点ａを接続することにより、差分生成回路１５で生成された差分信号を外部に出力するようにする。
【００４３】
このとき、音声信号がＡ／Ｄコンバータ７ａによりデジタル信号に変換されると、データ圧縮回路６ａ及びディレイ回路１４に与えられる。そして、データ圧縮回路６ａでは、従来と同様、ＡＴＲＡＣ方式のデータ圧縮が施され、圧縮データが生成される。即ち、図２のデータ圧縮回路６１のように、Ａ／Ｄコンバータ７ａより与えられるデジタル信号が、まず、帯域分割フィルタ６−１で、低域、中域、高域の３帯域の信号に分割され、時間／周波数軸変換回路６−２で、ＭＤＣＴが施されて、周波数スペクトラムデータに変換される。そして、この周波数スペクトラムデータが、ビット配分／量子化回路６−３で、人間の聴覚心理にあわせたビット長の重み付けが行われ、メモリコントローラ４に送出される。
【００４４】
データ圧縮回路６ａからの圧縮データは、メモリコントローラ４及びデータ伸長回路６ｂに与えられる。そして、データ伸長回路６ｂに与えられた圧縮データは、データ伸長されてデジタル信号とされ、差分生成回路１５に送出される。差分生成回路１５では、ディレイ回路１４で遅延されたＡ／Ｄコンバータ７ａからのデジタル信号と、データ伸長回路６ｂでデータ伸長されたデジタル信号との差分が求められ、差分信号として出力する。この差分信号は、スイッチＳＷ４を介して外部に出力される。このとき、ディレイ回路１４によって、Ａ／Ｄコンバータ７ａからのデジタル信号とデータ伸長回路６ｂでデータ伸長されたデジタル信号とのタイミングが合わせられる。
【００４５】
又、メモリコントローラ４に与えられる圧縮データは、光ピックアップ１、ＲＦアンプ２、エンコーダ／デコーダ／信号処理回路３、メモリコントローラ４、ショックプルーフメモリ５、送りモータ８、スピンドルモータ９、ドライブ回路１０、サーボ回路１１が、従来のデータ記録再生装置と同様に動作することで、ディスク１３に記録される。
【００４６】
又、前段のデータ記録再生装置から出力された差分信号が入力されるデータ記録再生装置は、スイッチＳＷ１〜ＳＷ４の接続関係が、図５のようになる。即ち、図４と同様、スイッチＳＷ１，ＳＷ２，ＳＷ４の接点ａが接続されるとともに、スイッチＳＷ３の接点ｂが接続される。よって、差分信号がスイッチＳＷ３を介して、データ圧縮回路６ａ及びディレイ回路１４に送出される。そして、差分信号が、データ圧縮回路６ａでデータ圧縮されてディスク１３に記録されるとともに、データ伸長回路６ｂでデータ伸長された差分信号と元の差分信号との差分が差分生成回路１５で求められ、差分信号としてスイッチＳＷ４を介して外部に出力される。
【００４７】
よって、４台のデータ記録再生装置Ａ〜Ｄによって、音声信号を記録する際、図６のように直列的に接続する。このとき、図４のようにスイッチＳＷ１〜ＳＷ４が接続されたデータ記録再生装置Ａを１段目とし、図５のようにスイッチＳＷ１〜ＳＷ４が接続されたデータ記録再生装置Ｂ〜Ｄを２〜４段目とする。よって、音声信号が、１段目のデータ記録再生装置Ａに入力され、音声信号が圧縮されて記録媒体１３ａに記録されるとともに、差分生成回路１５で生成された差分信号が２段目のデータ記録再生装置Ｂに入力される。
【００４８】
次に、２段目のデータ記録再生装置Ｂにおいて、１段目のデータ記録再生装置Ａで生成された差分信号がデータ圧縮されて記録媒体１３ｂに記録されるとともに、差分生成回路１５で生成された差分信号が３段目のデータ記録再生装置Ｃに入力される。次に、３段目のデータ記録再生装置Ｃにおいて、２段目のデータ記録再生装置Ｂで生成された差分信号がデータ圧縮されて記録媒体１３ｃに記録されるとともに、差分生成回路１５で生成された差分信号が４段目のデータ記録再生装置Ｄに入力される。最後に、４段目のデータ記録再生装置Ｄにおいて、３段目のデータ記録再生装置Ｃで生成された差分信号がデータ圧縮されて記録媒体１３ｄに記録される。
【００４９】
よって、音声信号がＡＴＲＡＣ方式でデータ圧縮されて１枚目のディスク１３ａに記録され、元の音声信号とディスク１３ａに記録されたデータがデータ伸長されて得た音声信号との誤差成分がデータ圧縮されて２枚目のディスク１３ｂに記録される。又、ディスク１３ｂに記録されたデータがデータ伸長されて得た差分信号と元の差分信号の誤差成分がデータ圧縮されて３枚目のディスク１３ｃに記録され、ディスク１３ｃに記録されたデータがデータ伸長されて得た差分信号と元の差分信号の誤差成分がデータ圧縮されて４枚目のディスク１３ｄに記録される。
【００５０】
更に、データをディスクに記録するデータ記録再生装置を１台とし、差分信号をハードディスクなどの外部記録装置に出力する場合は、スイッチＳＷ１〜ＳＷ４の接続関係が、図７のようになる。即ち、図４と同様、スイッチＳＷ１，ＳＷ２，ＳＷ３の接点ａが接続されるとともに、スイッチＳＷ４の接点ｂが接続される。よって、Ａ／Ｄコンバータ７ａでデジタル信号に変換された音声信号が、データ圧縮回路６ａ及びディレイ回路１４に送出される。そして、デジタル信号が、データ圧縮回路６ａでデータ圧縮されてディスク１３に記録されるとともに、データ伸長回路６ｂでデータ伸長されたデジタル信号と元のデジタル信号との差分が差分生成回路１５で求められ、差分信号としてデータ圧縮回路１６に送出される。
【００５１】
データ圧縮回路１６では、差分信号をデータ圧縮した後、外部記録装置２３に出力する。よって、音声信号の圧縮データがディスク１３に記録されるとともに、差分信号の圧縮データが外部記録装置２３に記録される。このデータ圧縮回路１６でのデータ圧縮は、データ圧縮回路６ａと同様の圧縮方式であるＡＴＲＡＣ方式を用いて行われるものでも構わないし、他の圧縮方式を用いても構わない。更には、可逆圧縮方式を用いてデータ圧縮されるようにしても構わない。
【００５２】
又、データ圧縮回路１６における圧縮率は、システムコントローラ１２において、入力装置２１により入力されたビットレートによって設定される。尚、データ圧縮回路１６は、データ圧縮回路６ａと独立したものとしても良いし、データ圧縮回路６ａと一部又は全体が共通の回路で構成されるものとしても構わない。
【００５３】
次に、図１の構成のデータ記録再生装置の再生動作について、以下に説明する。図８のように、スイッチＳＷ１，ＳＷ２の接点ｂを接続することにより、メモリコントローラ４からの圧縮データがデータ伸長回路６ｂに与えられてデータ伸長された後、セレクタ回路１７及び合成回路１８に与えられるようにする。そして、スイッチＳＷ５の接点ｂを接続することにより、セレクタ回路１７で選択された差分信号を外部に出力する。
【００５４】
セレクタ回路１７で、データ伸長回路６ｂでデータ伸長されて得たデジタル信号が差分信号として選択される場合、スイッチＳＷ６の接続は、接点ａ，ｂの何れでも構わない。よって、光ピックアップ１、ＲＦアンプ２、エンコーダ／デコーダ／信号処理回路３、メモリコントローラ４、ショックプルーフメモリ５、送りモータ８、スピンドルモータ９、ドライブ回路１０、サーボ回路１１が、従来のデータ記録再生装置と同様に動作することで、ディスク１３から読み出された圧縮データが、データ伸長回路６ｂにおいて、ＡＴＲＡＣ方式のデータ伸長が施され、デジタル信号が生成される。
【００５５】
即ち、図３のデータ伸長回路６２のように、メモリコントローラ４より送出される圧縮データは、まず、逆量子化回路６−４によって、周波数スペクトラムデータに変換される。そして、周波数／時間軸変換回路６−５で、ＩＭＤＣＴが施されて、低域、中域、高域の３帯域の時間軸信号が生成される。この３帯域の時間軸信号が、帯域合成フィルタ６−６で合成されることで、デジタル信号が生成される。このデータ伸長回路６ｂで生成されたデジタル信号が、セレクタ回路１７で選択されると、スイッチＳＷ５を介して、差分信号として出力される。
【００５６】
セレクタ回路１７で、合成回路１８からのデジタル信号が選択される場合、図８のように、スイッチＳＷ６の接点ａが接続される。よって、ディスク１３から読み出された圧縮データがメモリコントローラ４より送出されると、データ伸長回路６ｂにおいて、ＡＴＲＡＣ方式のデータ伸長が施され、デジタル信号が生成される。そして、前段のデータ記録再生装置から出力された差分信号が、スイッチＳＷ６を介してディレイ回路１９に送出される。
【００５７】
合成回路１８では、データ伸長回路６ｂからのデジタル信号にディレイ回路１９からの差分信号が加算され、元の差分信号が生成される。この差分信号は、セレクタ回路１７で選択された後、スイッチＳＷ５を介して外部に出力される。このとき、ディレイ回路１６によって、外部からスイッチＳＷ６を介して与えられる差分信号とデータ伸長回路６ｂでデータ伸長されたデジタル信号とのタイミングが合わせられる。
【００５８】
又、前段のデータ記録再生装置から出力された差分信号が入力されるとともに音声信号を出力するデータ記録再生装置は、スイッチＳＷ１，ＳＷ２，ＳＷ５，ＳＷ６の接続関係が、図９のようになる。即ち、図８と同様、スイッチＳＷ１，ＳＷ２の接点ｂが接続されるとともにスイッチＳＷ６の接点ａが接続され、スイッチＳＷ５の接点ａが接続される。よって、差分信号がスイッチＳＷ６を介して、ディレイ回路１９に送出される。そして、合成回路１８で、データ伸長回路６ｂからのデジタル信号にディレイ回路１９からの差分信号が加算され、元のデジタル信号が生成される。このデジタル信号は、セレクタ回路１７で選択された後、スイッチＳＷ５を介してＤ／Ａコンバータ７ｂに送出され、アナログ信号である音声信号に変換されて、外部に出力される。
【００５９】
よって、４台のデータ記録再生装置Ａ〜Ｄによって、音声信号を再生する際、図１０のように直列的に接続する。このとき、図８のようにスイッチＳＷ１，ＳＷ２，ＳＷ５，ＳＷ６が接続されたデータ記録再生装置Ｄ〜Ｂを１〜３段目とし、図９のようにスイッチＳＷ１，ＳＷ２，ＳＷ５，ＳＷ６が接続されたデータ記録再生装置Ａを４段目とする。又、データ記録再生装置Ｄがセレクタ回路１９でデータ伸長回路６ｂからのデジタル信号を選択するとともに、データ記録再生装置Ａ〜Ｃがセレクタ回路１９で合成回路１８からのデジタル信号を選択する。
【００６０】
よって、ディスク１３ｄより読み出された圧縮データが１段目のデータ記録再生装置Ｄで伸長されて、差分信号が生成されると、この差分信号が２段目のデータ記録再生装置Ｃに入力される。２段目のデータ記録再生装置Ｃでは、ディスク１３ｃより読み出された圧縮データを伸長した後、１段目のデータ記録再生装置Ｄより与えられる差分信号を加算して、差分信号を生成し、３段目のデータ記録再生装置Ｂに与える。
【００６１】
３段目のデータ記録再生装置Ｂでは、ディスク１３ｂより読み出された圧縮データを伸長した後、２段目のデータ記録再生装置Ｃより与えられる差分信号を加算して、差分信号を生成し、４段目のデータ記録再生装置Ａに与える。４段目のデータ記録再生装置Ａでは、ディスク１３ａより読み出された圧縮データを伸長した後、３段目のデータ記録再生装置Ｂより与えられる差分信号を加算して、デジタル信号を生成した後、アナログ信号である音声信号に変換して出力する。
【００６２】
更に、１枚のディスクを再生するとともに、ハードディスクなどの外部記録装置から差分信号の圧縮データが入力される場合は、スイッチＳＷ１，ＳＷ２，ＳＷ５，ＳＷ６の接続関係が、図１１のようになる。即ち、図９と同様、スイッチＳＷ１，ＳＷ２の接点ｂが接続されるとともにスイッチＳＷ５の接点ａが接続され、スイッチＳＷ６の接点ｂが接続される。よって、外部記録装置２３から入力される差分信号の圧縮データがデータ伸長回路２０でデータ伸長された後、スイッチＳＷ６を介してディレイ回路１９に送出される。そして、合成回路１８で、データ伸長回路６ｂからのデジタル信号にディレイ回路１９からの差分信号が加算され、元のデジタル信号が生成される。このデジタル信号は、セレクタ回路１７で選択された後、スイッチＳＷ５を介してＤ／Ａコンバータ７ｂに送出され、アナログ信号である音声信号に変換されて、外部に出力される。
【００６３】
尚、データ伸長回路２０は、データ伸長回路６ｂと独立したものとしても良いし、データ伸長回路６ｂと一部又は全体が共通の回路で構成されるものとしても構わない。又、データ圧縮回路１６と同様、このデータ伸長回路２０でのデータ圧縮は、データ伸長回路６ｂと同様の圧縮方式であるＡＴＲＡＣ方式を用いて行われるものでも構わないし、他の圧縮方式を用いても構わない。更には、可逆圧縮方式を用いてデータ圧縮されるようにしても構わない。
【００６４】
又、複数のデータ記録再生装置を直列に接続して記録動作を行わせる際、最終段のデータ記録再生装置で生成された差分信号をデータ圧縮回路１６でデータ圧縮して外部記録装置２３に記録されるようにしても構わない。このとき、データ圧縮回路１６での圧縮方式が可逆圧縮方式とすると、同数のデータ記録再生装置を直列に接続して再生動作を行わせる際、外部記録装置２３に記録された差分信号の圧縮データを、１段目のデータ記録再生装置のデータ伸長回路２０でデータ伸長したとき、元の差分信号に戻すことができる。よって、このような差分信号を１段目のデータ記録再生装置で生成することができるので、最終段のデータ記録再生装置より出力される音声信号が原音とほぼ同じ音質の音声信号とすることができる。
【００６５】
更に、図１０のデータ記録再生装置Ａのみを再生時に使用するときに、外部記録装置２３との接続を切り離して使用したとしても、ディスク１３ａ内に記録された圧縮データは、従来のデータ記録再生装置で記録された圧縮データと同じであるので従来と同じ音質の音声信号が補償される。又、ディスク１３ａに記録された圧縮データは、従来のデータ再生装置でも再生することができる。
【００６６】
＜通信ネットワークから配信されるデータの再生方法＞
次に、通信ネットワークを通じて配信されるデータを再生するデータ再生装置を例に挙げて、説明する。
【００６７】
図１２に示すデータ再生装置は、通信ネットワークを通じてデータを送受信するとともに変復調を施す送受信回路１０１と、送受信回路１０１より与えられる信号をデコードするデコーダ１０２と、メモリ１０４の書き込み及び読み出し制御を行うメモリコントローラ１０３と、デコーダ１０２でデコードされて得た圧縮データがメモリコントローラ１０３によって書き込まれるメモリ１０４と、メモリコントローラ１０３で読み出された圧縮データをデータ伸長するデータ伸長回路１０５と、メモリ１０７の書き込み及び読み出し制御を行うメモリコントローラ１０６と、データ伸長回路１０５でデータ伸長されて得たデジタル信号及び差分信号がメモリコントローラ１０６によって書き込まれるメモリ１０７と、メモリコントローラ１０６によってメモリ１０７より読み出されたデジタル信号及び差分信号を加算する合成回路１０８と、合成回路１０８で得たデジタル信号をアナログ信号である音声信号に変換するＤ／Ａコンバータ１０９と、送受信回路１０１、デコーダ１０２、メモリコントローラ１０３，１０６、及び合成回路１０８と信号のやり取りを行うシステムコントローラ１１０とを有する。
【００６８】
このような構成のデータ再生装置の動作について、説明する。通信ネットワークを通じて、音楽配信サーバなどで上述した圧縮データ生成方法で生成された圧縮データ群Ｃで構成されるオーディオデータが、送受信回路１０１で受信される。この音楽信号のヘッダ部分には、圧縮方式及び差分信号の個数を示すデータが含まれ、このヘッダ部分がデコーダ１０２でデコードされると、システムコントローラ１１０に送出される。又、送受信回路１０１では、通信ネットワークを通じて送信されるオーディオデータの伝送速度が認識され、その伝送速度をシステムコントローラ１１０に認識させる。
【００６９】
又、オーディオデータのメインデータ部分がデコーダ１０２で誤り訂正処理などの信号処理が施されるなどしてデコードされて圧縮データ群Ｃが得られると、メモリコントローラ１０３に与えられる。メモリコントローラ１０３は、圧縮データ群Ｃをメモリ１０４に保持させるように、システムコントローラ１１０の指示に従って、メモリ１０４の書き込み及び読み出しを制御することで、デコーダ１０２からの圧縮データ群Ｃをメモリ１０４に書き込むとともに、メモリ１０４から読み出した圧縮データ群Ｃをデータ伸長回路１０５に送出する。
【００７０】
データ伸長回路１０５には、圧縮データ群Ｃを構成する圧縮データｃ０〜ｃｎ−１，ｃｘが順にメモリコントローラ１０３より与えられる。そして、圧縮データｃ０〜ｃｎ−１，ｃｘそれぞれがデータ圧縮されたときに用いられた圧縮方式がシステムコントローラ１１０によって指示され、この指示された圧縮方式に応じて、データ伸長が施される。このように圧縮データｃ０〜ｃｎ−１，ｃｘそれぞれがデータ伸長されて、デジタル信号ｓ０及び差分信号ｓ１〜ｓｎが得られると、それぞれメモリコントローラ１０６に送出される。
【００７１】
メモリコントローラ１０６には、データ伸長回路１０５で圧縮データ群Ｃを構成する圧縮データｃ０〜ｃｎ−１，ｃｘがデータ伸長されて得られるデジタル信号ｓ０及び差分信号ｓ１〜ｓｎが順に与えられると、与えられた順に、メモリ１０７に書き込む。そして、差分信号ｓｎがメモリコントローラ１０６に与えられるとともに、合成回路１０８への送出がシステムコントローラ１１０より指示されると、メモリ１０７よりデジタル信号ｓ０及び差分信号ｓ１〜ｓｎを読み出して、合成回路１０８に送出する。
【００７２】
合成回路１０８では、デジタル信号ｓ０及び差分信号ｓ１〜ｓｎが加算されて、元のデジタル信号Ｓ０に近いデータ量となるデジタル信号が生成される。この生成されたデジタル信号がＤ／Ａコンバータ１０９でアナログ信号に変換されて音声信号として出力される。
【００７３】
このように動作することで、受信したオーディオデータを音声信号に変換して再生することのできるデータ再生装置は、送受信回路１０１で認識した伝送レートがシステムコントローラ１１０で低いと判断されたとき、送受信回路１０１及び通信ネットワークを通じて、音楽配信サーバなどに、圧縮データ群Ｃを構成する差分信号による圧縮データの数を減らすように指示するための信号を送信する。又、逆に、送受信回路１０１で認識した伝送レートがシステムコントローラ１１０で高いと判断されたとき、送受信回路１０１及び通信ネットワークを通じて、音楽配信サーバなどに、圧縮データ群Ｃを構成する差分信号による圧縮データの数を増やすように指示するための信号を送信する。
【００７４】
即ち、ｎ＝４とすると、伝送レートを５段階に分け、伝送レートが最も高い段階であるとき、デジタル信号Ｓ０及び差分信号Ｓ１〜Ｓ４がデータ圧縮されて得た圧縮データｃ０〜ｃ３，ｃｘで構成される圧縮データ群Ｃが、送信されるように、音楽配信サーバに指示する。又、伝送レートが２番目に高い段階にあるときは、デジタル信号Ｓ０及び差分信号Ｓ１〜Ｓ３がデータ圧縮されて得た圧縮データｃ０〜ｃ３で構成される圧縮データ群Ｃが、送信されるように、音楽配信サーバに指示する。
【００７５】
又、伝送レートが３番目に高い段階にあるときは、デジタル信号Ｓ０及び差分信号Ｓ１，Ｓ２がデータ圧縮されて得た圧縮データｃ０〜ｃ２で構成される圧縮データ群Ｃが、送信されるように、音楽配信サーバに指示する。又、伝送レートが４番目に高い段階にあるときは、デジタル信号Ｓ０及び差分信号Ｓ１がデータ圧縮されて得た圧縮データｃ０，ｃ１で構成される圧縮データ群Ｃが、送信されるように、音楽配信サーバに指示する。そして、伝送レートが最も低い段階にあるときは、デジタル信号Ｓ０がデータ圧縮されて得た圧縮データｃ０で構成される圧縮データ群Ｃが、送信されるように、音楽配信サーバに指示する。
【００７６】
よって、システムコントローラ１１０では、送受信回路１０１で受信するオーディオデータの伝送レートに応じて、受信されるオーディオデータ内の圧縮データ群Ｃを構成する圧縮データの個数が認識される。この認識された圧縮データの個数がメモリコントローラ１０６及び合成回路１０８に与えられ、それぞれが圧縮データの個数に応じて、合成回路１０８への送出動作及び加算動作を行う。
【００７７】
即ち、ｎ＝４とすると、伝送レートを５段階に分け、伝送レートが最も高い段階であるとき、圧縮データ群Ｃより得られるデジタル信号ｓ０及び差分信号ｓ１〜ｓ４が、一旦メモリ１０７に格納された後、同時に合成回路１０８に送出されると、加算されてＤ／Ａコンバータ１０９に送出される。又、伝送レートが２番目に高い段階であるとき、圧縮データ群Ｃより得られるデジタル信号ｓ０及び差分信号ｓ１〜ｓ３が、一旦メモリ１０７に格納された後、同時に合成回路１０８に送出されると、加算されてＤ／Ａコンバータ１０９に送出される。
【００７８】
又、伝送レートが３番目に高い段階であるとき、圧縮データ群Ｃより得られるデジタル信号ｓ０及び差分信号ｓ１，ｓ２が、一旦メモリ１０７に格納された後、同時に合成回路１０８に送出されると、加算されてＤ／Ａコンバータ１０９に送出される。又、伝送レートが４番目に高い段階であるとき、圧縮データ群Ｃより得られるデジタル信号ｓ０及び差分信号ｓ１が、一旦メモリ１０７に格納された後、同時に合成回路１０８に送出されると、加算されてＤ／Ａコンバータ１０９に送出される。そして、伝送レートが最も低い段階であるとき、圧縮データ群Ｃより得られるデジタル信号ｓ０が、一旦メモリ１０７に格納された後、合成回路１０８に送出されると、そのまま、Ｄ／Ａコンバータ１０９に送出される。
【００７９】
このように、受信するオーディオデータの伝送レートが低いと、オーディオデータのメインデータとなる圧縮データ群を構成する圧縮データの個数を減らすことで、伝送レート不足による音切れを防ぎ、又、受信するオーディオデータの伝送レートが高いと、オーディオデータのメインデータとなる圧縮データ群を構成する圧縮データの個数を増やすことで、原音の音質に近い高音質な再生音とすることができる。
【００８０】
【発明の効果】
本発明によると、第２データが、第１データの圧縮データと差分データの２種類のデータによって構成される。よって、例えば、携帯性を優先した場合、第１データの圧縮データのみが記録された記録媒体を再生することで、データ再生装置を小さくすることができる。又、伝送レートが低いときにおいても、第１データの圧縮データとともに生成された差分データを少なくした第２データを受信することによって、再生速度に応じた情報量のデータとすることができる。逆に、再生したときのデータの質を重視した場合、第１データの圧縮データと差分データとが記録された記録媒体を再生することで、元の第１データとほぼ同一の高品質なデータを再生することができる。又、伝送レートが高いときにおいても、第１データの圧縮データとともに生成された差分データを多くした第２データを受信することによって、元の第１データとほぼ同一の高品質なデータを再生することができる。
【図面の簡単な説明】
【図１】本発明のデータ記録再生装置の内部構成を示すブロック図。
【図２】データ圧縮回路の内部構成を示すブロック図。
【図３】データ伸長回路の内部構成を示すブロック図。
【図４】データ記録時の接続関係を示すブロック図。
【図５】データ記録時の接続関係を示すブロック図。
【図６】データ記録時に４段接続されたデータ記録再生装置の関係を示す図。
【図７】データ記録時の接続関係を示すブロック図。
【図８】データ再生時の接続関係を示すブロック図。
【図９】データ再生時の接続関係を示すブロック図。
【図１０】データ再生時に４段接続されたデータ記録再生装置の関係を示す図。
【図１１】データ再生時の接続関係を示すブロック図。
【図１２】本発明のデータ再生装置の内部構成を示すブロック図。
【図１３】従来のデータ記録再生装置の内部構成を示すブロック図。
【符号の説明】
１    光ピックアップ
２    ＲＦアンプ
３    エンコーダ／デコーダ／信号処理回路
４    メモリコントローラ
５    ショックプルーフメモリ
６ａ    データ圧縮回路
６ｂ    データ伸長回路
７ａ    Ａ／Ｄコンバータ
７ｂ    Ｄ／Ａコンバータ
８    送りモータ
９    スピンドルモータ
１０    ドライブ回路
１１    サーボ回路
１２    システムコントローラ
１３    ディスク
１４    ディレイ回路
１５    差分生成回路
１６    データ圧縮回路
１７    セレクタ回路
１８    合成回路
１９    ディレイ回路
２０    データ伸長回路
２１    入力装置
２２    表示装置
【図１】
0003833063.tif 000002
【図２】
0003833063.tif 000003
【図３】
0003833063.tif 000004
【図４】
0003833063.tif 000005
【図５】
0003833063.tif 000006
【図６】
0003833063.tif 000007
【図７】
0003833063.tif 000008
【図８】
0003833063.tif 000009
【図９】
0003833063.tif 000010
【図１０】
0003833063.tif 000011
【図１１】
0003833063.tif 000012
【図１２】
0003833063.tif 000013
【図１３】
0003833063.tif 000014